(57)【要約】【課題】立体構造物、殊に五角形構造を基本的骨格として有する立体構造物に関して、これまでに存在しなかった形状のものを提供することを目的とする。【解決手段】単一平面内に存在している第１頂点、第２頂点、第３頂点、および第４頂点と、前記平面内には存在していない第５頂点を通ることを特徴とする特殊五角形構造物。【選択図】図４
2018033754.tif 000002
【特許請求の範囲】
【請求項１】
単一平面内に存在している第１頂点、第２頂点、第３頂点、および第４頂点と、
前記平面内には存在していない第５頂点を通ることを特徴とする特殊五角形構造物。
【請求項２】
前記第１頂点と前記第２頂点の間に配置されている第１柱構造物と、
前記第２頂点と前記第３頂点の間に配置されている第２柱構造物と、
前記第３頂点と前記第４頂点の間に配置されている第３柱構造物と、
前記第４頂点と前記第５頂点の間に配置されている第４柱構造物と、
前記第５頂点と前記第１頂点の間に配置されている第５柱構造物と、
を含んでいる請求項１に記載の特殊五角形構造物。
【請求項３】
さらに、
前記第１頂点に配置されている第１塊状物と、
前記第２頂点に配置されている第２塊状物と、
前記第３頂点に配置されている第３塊状物と、
前記第４頂点に配置されている第４塊状物と、
前記第５頂点に配置されている第５塊状物と、
を含んでいる請求項１または２に記載の特殊五角形構造物。
【請求項４】
前記第１の柱構造物、前記第２の柱構造物、前記第３の柱構造物、前記第４の柱構造物、および前記第５の柱構造物は、それぞれ、第１辺と第２辺とを有しており、該第１辺と第２辺は、７２度超、１８０度未満の角度をなしている請求項１〜３のいずれか一項に記載の特殊五角形構造物。
【請求項５】
第１〜第５頂点よりも前記特殊五角形構造物の内方にある第６頂点を有し、
前記第６頂点と前記第１頂点と間にある第６柱構造物と、
前記第６頂点と前記第２頂点と間にある第７柱構造物と、
前記第６頂点と前記第３頂点と間にある第８柱構造物と、
前記第６頂点と前記第４頂点と間にある第９柱構造物と、
前記第６頂点と前記第５頂点と間にある第１０柱構造物と、
を含んでいる請求項１〜４のいずれか一項に記載の特殊五角形構造物。
【請求項６】
前記第１頂点と前記第２頂点の距離、
前記第２頂点と前記第３頂点の距離、
前記第３頂点と前記第４頂点の距離、
前記第４頂点と前記第５頂点の距離、
前記第５頂点と前記第１頂点の距離は、
いずれも等しい請求項１〜５のいずれか一項に記載の特殊五角形構造物。
【請求項７】
請求項１〜６にいずれか一項に記載の特殊五角形構造物を少なくとも３つ（以下、当該３つの特殊五角形構造物をそれぞれ「第１特殊五角形構造物」〜「第３特殊五角形構造物」と記載する）有する構造物であって、
前記第１特殊五角形構造物〜前記第３特殊五角形構造物は１つの頂点を共有しており（以下、「３共有頂点」と記載する）、
前記第１特殊五角形構造物と前記第２特殊五角形構造物とは、前記３共有頂点の他に１つの頂点を共有しており、
前記第２特殊五角形構造物と前記第３特殊五角形構造物とは、前記３共有頂点の他に１つの頂点を共有しており、
前記第３特殊五角形構造物と前記第１特殊五角形構造物とは、前記３共有頂点の他に１つの頂点を共有していることを特徴とする構造物。
【請求項８】
前記第１特殊五角形構造物と前記第２特殊五角形構造物に囲まれている領域、
前記第２特殊五角形構造物と前記第３特殊五角形構造物に囲まれている領域、
前記第３特殊五角形構造物と前記第１特殊五角形構造物に囲まれている領域、
には、それぞれ、面構造物が配置されている請求項７に記載の構造物。
【請求項９】
前記第１特殊五角形構造物〜前記第３特殊五角形構造物のうちのいずれか一つだけが、第５頂点が前記３共有頂点に一致する請求項７または８に記載の構造物。
【請求項１０】
請求項１〜６にいずれか一項に記載の特殊五角形構造物を少なくとも４つ（以下、当該４つの特殊五角形構造物をそれぞれ「第４特殊五角形構造物」〜「第７特殊五角形構造物」と記載する）有する構造物であって、
前記第４特殊五角形構造物〜前記第７特殊五角形構造物は１つの頂点を共有しており（以下、「４共有頂点」と記載する）、
前記第４特殊五角形構造物と前記第５特殊五角形構造物とは、前記４共有頂点の他に１つの頂点を共有しており、
前記第５特殊五角形構造物と前記第６特殊五角形構造物とは、前記４共有頂点の他に１つの頂点を共有しており、
前記第６特殊五角形構造物と前記第７特殊五角形構造物とは、前記４共有頂点の他に１つの頂点を共有しており、
前記第７特殊五角形構造物と前記第４特殊五角形構造物とは、前記４共有頂点の他に１つの頂点を共有していることを特徴とする構造物。
【請求項１１】
前記第４特殊五角形構造物〜前記第７特殊五角形構造物のうちのいずれも、第５頂点は前記４共有頂点には一致しない請求項１０に記載の構造物。
【請求項１２】
請求項１〜６のいずれか一項に記載された特殊五角形構造物、または請求項７〜１１のいずれか一項に記載されている構造物を有している筒状の構造物。
【請求項１３】
請求項１〜６のいずれか一項に記載された特殊五角形構造物、または請求項７〜１１のいずれか一項に記載されている構造物を有している殻状の構造物。
【請求項１４】
請求項１〜６のいずれか一項に記載された特殊五角形構造物、または請求項７〜１１のいずれか一項に記載されている構造物を有している板状の構造物であって、
全ての前記特殊五角形構造物は、前記板状の構造物の一方主面と該一方主面に対向する他方主面に接していることを特徴とする板状の構造物。
【請求項１５】
請求項１〜６のいずれか一項に記載された特殊五角形構造物、または請求項７〜１１のいずれか一項に記載された構造物を有している玩具であって、全ての前記特殊五角形構造物は、互いに分離可能に構成されていることを特徴とする玩具。
【請求項１６】
第１頂点に配置されている第１塊状物と、
第２頂点に配置されている第２塊状物と、
第３頂点に配置されている第３塊状物と、
第４頂点に配置されている第４塊状物と、
第５頂点に配置されている第５塊状物と、
一端が前記第１塊状物に対して分離可能に接合されており、他端が前記第２塊状物に対して分離可能に接合されている第１柱構造物と、
一端が前記第２塊状物に対して分離可能に接合されており、他端が前記第３塊状物に対して分離可能に接合されている第２柱構造物と、
一端が前記第３塊状物に対して分離可能に接合されており、他端が前記第４塊状物に対して分離可能に接合されている第３柱構造物と、
一端が前記第４塊状物に対して分離可能に接合されており、他端が前記第５塊状物に対して分離可能に接合されている第４柱構造物と、
一端が前記第５塊状物に対して分離可能に接合されており、他端が前記第１塊状物に対して分離可能に接合されている第５柱構造物と、を有しており、
前記第１〜第４頂点は単一平面内に存在しており、前記第５頂点は前記平面内に存在していないことを特徴とする玩具。
【請求項１７】
前記第１〜第５の柱構造物は、それぞれ、第１辺と第２辺とを有しており、該第１辺と第２辺は、７２度超、１８０度未満の角度をなしている請求項１６に記載の玩具。
【請求項１８】
前記第１辺と前記第２辺とがなす角度が可変に構成されている請求項１７に記載の玩具。
【請求項１９】
前記第１〜第５塊状物、または前記第１〜第５柱構造物の少なくとも一群は、磁気を有している請求項１６〜１８のいずれか一項に記載の玩具。
【請求項２０】
前記第１〜第５塊状物は、前記第１〜第５柱構造物に対して面接触している請求項１６〜１９のいずれか一項に記載の玩具。
【請求項２１】
第１頂点に配置されている第１塊状物と、
第２頂点に配置されている第２塊状物と、
第３頂点に配置されている第３塊状物と、
第４頂点に配置されている第４塊状物と、
第５頂点に配置されている第５塊状物と、
一端が前記第１塊状物に対して分離可能に接合されている第６柱構造物と、
一端が前記第２塊状物に対して分離可能に接合されている第７柱構造物と、
一端が前記第３塊状物に対して分離可能に接合されている第８柱構造物と、
一端が前記第４塊状物に対して分離可能に接合されている第９柱構造物と、
一端が前記第５塊状物に対して分離可能に接合されている第１０柱構造物と、を有し、
前記第６〜第１０柱構造物の他端同士は互いに直接接合されており、又は第６塊状物を介して間接的に接合されており、
前記第１〜第４頂点は単一平面内に存在しており、前記第５頂点は前記平面内に存在していないことを特徴とする玩具。
【発明の詳細な説明】
【技術分野】
【０００１】
本発明は、五角形構造を基本的骨格として有する構造物に関するものであり、例えば、組立て玩具、建築構造物、置物等、種々の構造物に適用できるものである。
【背景技術】
【０００２】
組立て玩具、建築構造物、置物などの構造物の中で、一つの多角形構造物を単位骨格とし、この単位骨格を複数連続して配置することにより種々の立体構造物を作製することができるものがある。このような立体構造物においては、一つの多角形構造物とその隣に配置する多角形構造物との接続関係を少し変えても、全体として全く異なる立体構造物を作製することができることから、組立て玩具、建築構造物、置物などをはじめ、工業製品の形状バリエーションを拡げるものとして大変興味深いものである。
【０００３】
例えば、特許文献１は、ユニット式組立構造物キットに関する特許文献であり、５〜７角形を単位骨格とし、この単位骨格を複数連続して配置することにより、サッカーボール状の構造物、テトラポット状の構造物など、種々の立体構造物を作製できることが記載されている。
【先行技術文献】
【特許文献】
【０００４】
【特許文献１】特開２０１６−１１２１４５号公報
【発明の概要】
【発明が解決しようとする課題】
【０００５】
上記の背景技術には特段の課題は存在していないが、作製し得る立体構造物のバリエーションには単位骨格に起因する限界がある。例えば組立て玩具では、立体構造物のバリエーションを増やすことができれば、玩具の楽しさを増やす意味において有意義なことである。また、例えば建築構造物であれば、必要な強度、形状、重量バランス、美観において選択の余地が拡がることもまた有意義なことである。
【０００６】
本発明は、立体構造物、殊に五角形構造を基本的骨格として有する立体構造物に関して、これまでに存在しなかった形状のものを提供することを目的とする。
【課題を解決するための手段】
【０００７】
本発明に係る特殊五角形構造物は、単一平面内に存在している第１頂点、第２頂点、第３頂点、および第４頂点と、前記平面内には存在していない第５頂点を通ることを特徴とする。該構成により、立体構造物、殊に五角形構造を基本的骨格として有する立体構造物に関して、これまでに存在しなかった形状のものを提供することができる。
【０００８】
本発明の前記特殊五角形構造物は、前記第１頂点と前記第２頂点の間に配置されている第１柱構造物と、前記第２頂点と前記第３頂点の間に配置されている第２柱構造物と、前記第３頂点と前記第４頂点の間に配置されている第３柱構造物と、前記第４頂点と前記第５頂点の間に配置されている第４柱構造物と、前記第５頂点と前記第１頂点の間に配置されている第５柱構造物と、を含んでいることが好ましい。
【０００９】
本発明の前記特殊五角形構造物は、さらに、前記第１頂点に配置されている第１塊状物と、前記第２頂点に配置されている第２塊状物と、前記第３頂点に配置されている第３塊状物と、前記第４頂点に配置されている第４塊状物と、前記第５頂点に配置されている第５塊状物と、を含んでいることが好ましい。
【００１０】
本発明の前記特殊五角形構造物は、前記第１の柱構造物、前記第２の柱構造物、前記第３の柱構造物、前記第４の柱構造物、および前記第５の柱構造物が、それぞれ、第１辺と第２辺とを有しており、該第１辺と第２辺は、７２度超、１８０度未満の角度をなしていることが好ましい。
【００１１】
本発明の前記特殊五角形構造物は、第１〜第５頂点よりも前記特殊五角形構造物の内方にある第６頂点を有し、前記第６頂点と前記第１頂点と間にある第６柱構造物と、前記第６頂点と前記第２頂点と間にある第７柱構造物と、前記第６頂点と前記第３頂点と間にある第８柱構造物と、前記第６頂点と前記第４頂点と間にある第９柱構造物と、前記第６頂点と前記第５頂点と間にある第１０柱構造物と、を含んでいることが好ましい。
【００１２】
本発明の前記特殊五角形構造物は、前記第１頂点と前記第２頂点の距離、前記第２頂点と前記第３頂点の距離、前記第３頂点と前記第４頂点の距離、前記第４頂点と前記第５頂点の距離、前記第５頂点と前記第１頂点の距離が、いずれも等しいことが好ましい。
【００１３】
本発明には、前記特殊五角形構造物を少なくとも３つ（以下、当該３つの特殊五角形構造物をそれぞれ「第１特殊五角形構造物」〜「第３特殊五角形構造物」と記載する）有する構造物であって、前記第１特殊五角形構造物〜前記第３特殊五角形構造物は１つの頂点を共有しており（以下、「３共有頂点」と記載する）、前記第１特殊五角形構造物と前記第２特殊五角形構造物とは、前記３共有頂点の他に１つの頂点を共有しており、前記第２特殊五角形構造物と前記第３特殊五角形構造物とは、前記３共有頂点の他に１つの頂点を共有しており、前記第３特殊五角形構造物と前記第１特殊五角形構造物とは、前記３共有頂点の他に１つの頂点を共有していることを特徴とする構造物も包含される。
【００１４】
本発明の前記構造物は、前記第１特殊五角形構造物と前記第２特殊五角形構造物に囲まれている領域、前記第２特殊五角形構造物と前記第３特殊五角形構造物に囲まれている領域、前記第３特殊五角形構造物と前記第１特殊五角形構造物に囲まれている領域、には、それぞれ、面構造物が配置されていることが好ましい。
【００１５】
本発明の前記構造物は、前記第１特殊五角形構造物〜前記第３特殊五角形構造物のうちのいずれか一つだけが、第５頂点が前記３共有頂点に一致することが好ましい。
【００１６】
本発明の前記構造物は、前記特殊五角形構造物を少なくとも４つ（以下、当該４つの特殊五角形構造物をそれぞれ「第４特殊五角形構造物」〜「第７特殊五角形構造物」と記載する）有する構造物であって、前記第４特殊五角形構造物〜前記第７特殊五角形構造物は１つの頂点を共有しており（以下、「４共有頂点」と記載する）、前記第４特殊五角形構造物と前記第５特殊五角形構造物とは、前記４共有頂点の他に１つの頂点を共有しており、前記第５特殊五角形構造物と前記第６特殊五角形構造物とは、前記４共有頂点の他に１つの頂点を共有しており、前記第６特殊五角形構造物と前記第７特殊五角形構造物とは、前記４共有頂点の他に１つの頂点を共有しており、前記第７特殊五角形構造物と前記第４特殊五角形構造物とは、前記４共有頂点の他に１つの頂点を共有していることが好ましい。
【００１７】
本発明の前記構造物は、前記第４特殊五角形構造物〜前記第７特殊五角形構造物のうちのいずれも、第５頂点は前記４共有頂点には一致しないことが好ましい。
【００１８】
本発明には、前記特殊五角形構造物、または前記構造物を有している筒状の構造物も包含される。
【００１９】
本発明には、前記特殊五角形構造物、または前記構造物を有している殻状の構造物も包含される。
【００２０】
本発明には、前記特殊五角形構造物、または前記構造物を有している板状の構造物であって、全ての前記特殊五角形構造物は、前記板状の構造物の一方主面と該一方主面に対向する他方主面に接していることを特徴とする板状の構造物も包含される。
【００２１】
本発明には、前記特殊五角形構造物、または前記構造物を有している玩具であって、全ての前記特殊五角形構造物は、互いに分離可能に構成されていることを特徴とする玩具も包含される。
【００２２】
本発明には、第１頂点に配置されている第１塊状物と、第２頂点に配置されている第２塊状物と、第３頂点に配置されている第３塊状物と、第４頂点に配置されている第４塊状物と、第５頂点に配置されている第５塊状物と、一端が前記第１塊状物に対して分離可能に接合されており、他端が前記第２塊状物に対して分離可能に接合されている第１柱構造物と、一端が前記第２塊状物に対して分離可能に接合されており、他端が前記第３塊状物に対して分離可能に接合されている第２柱構造物と、一端が前記第３塊状物に対して分離可能に接合されており、他端が前記第４塊状物に対して分離可能に接合されている第３柱構造物と、一端が前記第４塊状物に対して分離可能に接合されており、他端が前記第５塊状物に対して分離可能に接合されている第４柱構造物と、一端が前記第５塊状物に対して分離可能に接合されており、他端が前記第１塊状物に対して分離可能に接合されている第５柱構造物と、を有しており、前記第１〜第４頂点は単一平面内に存在しており、前記第５頂点は前記平面内に存在していないことを特徴とする玩具も包含される。
【００２３】
本発明の前記玩具は、前記第１〜第５の柱構造物が、それぞれ、第１辺と第２辺とを有しており、該第１辺と第２辺は、７２度超、１８０度未満の角度をなしていることが好ましい。
【００２４】
本発明の前記玩具は、前記第１辺と前記第２辺とがなす角度が可変に構成されていることが好ましい。
【００２５】
本発明の前記玩具は、前記第１〜第５塊状物、または前記第１〜第５柱構造物の少なくとも一群は、磁気を有していることが好ましい。
【００２６】
本発明の前記玩具は、前記第１〜第５塊状物が、前記第１〜第５柱構造物に対して面接触していることが好ましい。
【００２７】
本発明には、第１頂点に配置されている第１塊状物と、第２頂点に配置されている第２塊状物と、第３頂点に配置されている第３塊状物と、第４頂点に配置されている第４塊状物と、第５頂点に配置されている第５塊状物と、一端が前記第１塊状物に対して分離可能に接合されている第６柱構造物と、一端が前記第２塊状物に対して分離可能に接合されている第７柱構造物と、一端が前記第３塊状物に対して分離可能に接合されている第８柱構造物と、一端が前記第４塊状物に対して分離可能に接合されている第９柱構造物と、一端が前記第５塊状物に対して分離可能に接合されている第１０柱構造物と、を有し、前記第６〜第１０柱構造物の他端同士は互いに直接接合されており、又は第６塊状物を介して間接的に接合されており、前記第１〜第４頂点は単一平面内に存在しており、前記第５頂点は前記平面内に存在していないことを特徴とする玩具も包含される。
【発明の効果】
【００２８】
本発明では、従来知られていなかった特殊な五角形構造、すなわち、単一平面内に存在している第１頂点、第２頂点、第３頂点、および第４頂点と、前記平面内には存在していない第５頂点を通る特殊五角形構造物を構成することにより、これまでに存在しなかった形状のものを作製することが可能となる。例えば、玩具の分野であれば組立ての楽しさを増やすことができる。建築構造物の分野であれば必要な強度、形状、重量バランス、美観において選択の余地を拡げることができる。その他の分野、例えば、置物、家具、マイクロマシーン、乗り物、宇宙ステーション等においても、立体構造物のバリエーションが増えることは設計自由度の拡がりや新規特性を得ることができるものであり、工業的価値は非常に大きい。
【図面の簡単な説明】
【００２９】
【図１】図１（ａ）は、本発明の実施形態１に係る特殊五角形構造物の正面図である。図１（ｂ）は、その側面図である。図１（ｃ）は、本発明の実施形態１に係る特殊五角形構造物の変形例の側面図である。
【図２】図２（ａ）は、本発明の実施形態２に係る特殊五角形構造物の正面図である。図２（ｂ）は、その側面図である。図２（ｃ）は、塊状物の面接触部分を説明するための説明図である。
【図３】図３（ａ）は、本発明の実施形態３に係る特殊五角形構造物の正面図である。図３（ｂ）は、その側面図である。
【図４】図４（ａ）は、本発明の実施形態４に係る板状の構造物の正面図である。図４（ｂ）は、その斜視図である。図４（ｃ）は、その側面図である。
【図５】図５（ａ）は、本発明の実施形態５に係る板状の構造物の正面図である。図５（ｂ）は、その斜視図である。図５（ｃ）は、その側面図である。
【図６】図６（ａ）は、本発明の実施形態６に係る筒状の構造物の正面図である。図６（ｂ）、（ｃ）は、その斜視図である。図６（ｄ）は、その側面図である。
【図７】図７（ａ）は、本発明の実施形態７に係る殻状の構造物の正面図である。図７（ｂ）は、その斜視図である。図７（ｃ）は、その側面図である。
【図８】図８（ａ）は、本発明の実施形態８に係る多孔状の構造物の正面図である。図８（ｂ）は、その斜視図である。図８（ｃ）は、その側面図である。
【発明を実施するための形態】
【００３０】
以下、例を挙げて本発明をより具体的に説明するが、本発明はもとより下記例によって制限を受けるものではなく、前・後記の趣旨に適合し得る範囲で適宜に変更を加えて実施することも勿論可能であり、それらはいずれも本発明の技術的範囲に包含される。
【００３１】
＜実施形態１＞
図１（ａ）は、本発明の実施形態１に係る特殊五角形構造物１の正面図である。図１（ｂ）は、その側面図である。図１（ａ）、（ｂ）に示す通り、特殊五角形構造物１は、単一平面Ｘ内に存在している第１頂点１１、第２頂点１２、第３頂点１３、および第４頂点１４と、平面Ｘ内には存在していない第５頂点１５を通っている。
【００３２】
特殊五角形構造物１は、平面Ｘ内に存在していない第５頂点１５を通るところに最大の特徴がある。すなわち特殊五角形構造物１は、第５頂点１５の近傍が平面Ｘからやや突出しており平面状ではない特殊な五角形の立体的形状になっている。そのため、特殊五角形構造物１を用いれば、これまでに存在しなかった形状の立体構造物を作製することができる。
【００３３】
以下、特殊五角形構造物１の各構成について説明する。
【００３４】
図１（ａ）に示す特殊五角形構造物１において、第１頂点１１と第２頂点１２の距離Ｌ１、第２頂点１２と第３頂点１３の距離Ｌ２、第３頂点１３と第４頂点１４の距離Ｌ３、第４頂点１４と第５頂点１５の距離Ｌ４、第５頂点１５と第１頂点１１の距離Ｌ５は、いずれも等しくなっている。距離Ｌ１〜Ｌ５は、全て同じ長さである必要は無いが、同じ長さであると複数の特殊五角形構造物１を立体的に組立て易くなるため好ましい。なお、図１（ａ）の第５頂点１５は、平面Ｘ内に無いため、平面図（正面図）である図１（ａ）では、第５頂点１５に係る距離Ｌ４と距離Ｌ５は、実際の長さよりも短く見えている。
【００３５】
図１（ｂ）に示す平面Ｘから垂直方向に向かって第５頂点１５までの距離Ｈは、図１（ａ）に示す距離Ｌ１〜Ｌ５の合計長さの１％以上、２０％以下であることが好ましい。距離Ｈが、合計長さの１％以上であることにより、従来にない形状の立体構造物を作製し易くなる。距離Ｈは、合計長さの１％以上であることが好ましく、より好ましくは２％以上、さらに好ましくは３％以上、さらにより好ましくは４％以上、一層好ましくは５％以上である。一方、距離Ｈが距離Ｌ１〜Ｌ５の合計長さの２０％以下であると立体構造物を作製し易くなる。そのために距離Ｈは、合計長さの２０％以下であることが好ましく、より好ましくは１８％以下、さらに好ましくは１６％以下、さらにより好ましくは１４％以下、一層好ましくは１２％以下、より一層好ましくは１０％以下、さらに一層好ましくは８％以下、さらにより一層好ましくは７％以下、最も好ましくは６％以下である。
【００３６】
上述のように第１頂点１１〜第４頂点１４は、基本的には単一平面Ｘ内に存在するものであるが、以下では第１頂点１１〜第４頂点１４の許容される誤差の範囲について説明する。図１（ｃ）は、本発明の実施形態１に係る特殊五角形構造物１の変形例の側面図であり、この変形例では、第２頂点１２が平面Ｘから僅かに外れた位置に存在している。この変形例では、平面Ｘから垂直方向に向かって第２頂点１２までの距離ｈが、図１（ａ）に示す距離Ｌ１〜Ｌ５の合計長さの１％未満になっている。このような場合には、第２頂点１２は単一平面Ｘ内に存在していることとする。距離ｈは、好ましくは距離Ｌ１〜Ｌ５の合計長さの１％未満であり、より好ましくは０．８％以下、さらにより好ましくは０．５％以下、一層好ましくは０．３％である。
【００３７】
特殊五角形構造物１の形状は、第１頂点１１〜第５頂点１５を通る五角形であれば特に限定されず、平面視で、星型等が挙げられる。例えば、図１（ａ）では、特殊五角形構造物１は平面視で星型の形状である。図１（ａ）では、第１頂点１１〜第５頂点１５から延びる２辺の長さはそれぞれ等しくなっているが、必ずしも２辺の長さが同じである必要はなく、２辺の長さが異なっていても良い。
【００３８】
特殊五角形構造物１の素材は、特に限定されず、例えば、プラスチック、樹脂、硝子、
アルニコ磁石、フェライト磁石、ネオジム磁石等の永久磁石、酸化鉄、酸化クロム、コバルト、フェライト等の磁性体、アルミニウム、銅、ステンレス、鋼材等の金属等が挙げられる。
【００３９】
複数の特殊五角形構造物１を立体的に組立てることにより、立体構造物を作製することができる。立体的に組立てる方法は、特に限定されず、例えば、磁気接合、接着剤等の接合剤を用いた接合、アーク溶接やろう接等の溶接等を行えば良い。また、３Ｄプリンタを用いて特殊五角形構造物１を含む立体構造物を作製しても良い。
【００４０】
特殊五角形構造物１は、五角形構造を基本的骨格として有する構造物、例えば、組立て玩具、建築構造物、置物等、種々の構造物に適用することができる。また、前述した通り、特殊五角形構造物１は、これまでに存在しなかった形状であるため、例えば玩具の分野であれば組立ての楽しさを増やすことができる。建築構造物の分野であれば、必要な強度、形状、重量バランス、美観において選択の余地を拡げることができる。
【００４１】
＜実施形態２＞
図２（ａ）は、本発明の実施形態２に係る特殊五角形構造物２の正面図である。図２（ｂ）は、その側面図である。図２（ａ）、（ｂ）に示す通り、特殊五角形構造物２は、特殊五角形構造物１と同様に、単一平面Ｘ内に存在している第１頂点１１、第２頂点１２、第３頂点１３、および第４頂点１４と、平面Ｘ内には存在していない第５頂点１５を通っており、第５頂点１５の近傍が突出している。特殊五角形構造物２は、第１柱構造物１１〜第５柱構造物１５と、第１塊状物３１〜第５塊状物３５を有している点で、特殊五角形構造物１と異なる。以下、図１（ａ）〜（ｃ）と同じ構成部分については同一の符号を付し、特殊五角形構造物１と相違する点のみ説明する。
【００４２】
図２（ａ）に示す通り、特殊五角形構造物２は、第１頂点１１と第２頂点１２の間に配置されている第１柱構造物２１と、第２頂点１２と第３頂点１３の間に配置されている第２柱構造物２２と、第３頂点１３と第４頂点１４の間に配置されている第３柱構造物２３と、第４頂点１４と第５頂点１５の間に配置されている第４柱構造物２４と、第５頂点１５と第１頂点１１の間に配置されている第５柱構造物２５と、を含んでいる。第１柱構造物２１〜第５柱構造物２５を有することにより、強度を向上することができ、組立て易くなる。
【００４３】
図２（ａ）に示す通り、第１の柱構造物２１、第２の柱構造物２２、第３の柱構造物２３、第４の柱構造物２４、および第５の柱構造物２５は、それぞれ、第１辺Ｓ１と第２辺Ｓ２とを有している。第１の柱構造物２１〜第５の柱構造物２５を、それぞれ第１辺Ｓ１と第２辺Ｓ２とを有するものとすれば、特殊五角形構造物２の形状を星型にすることができ、美観を向上することができるため好ましい。
【００４４】
第１辺Ｓ１と第２辺Ｓ２とのなす角度θは、それぞれ７２度超、１８０度未満が好ましい。角度θを１８０度未満とすることにより、第１頂点１１〜第５頂点１５に囲まれた領域内に第１辺Ｓ１と第２辺Ｓ２が存在することになるため、複数の特殊五角形構造物２を組立てて立体形状を形成し易くなる。そのために角度θは、好ましくは１８０度未満、より好ましくは１６０度以下、さらに好ましくは１４０度以下である。一方、第１辺Ｓ１と第２辺Ｓ２がそれぞれ５つずつ存在していることを考慮すると、角度θは、好ましくは７２度超、より好ましくは８０度以上、さらに好ましくは９０度以上である。
【００４５】
また、第１辺Ｓ１と第２辺Ｓ２とがなす角度θが可変に構成されていることが好ましい。これにより伸縮が求められる建築構造物や組立て玩具等に有用なものとなる。角度θを可変にする手段は、例えば、第１の柱構造物２１〜第５の柱構造物２５のそれぞれの折曲がり部分を蛇腹に構成する手段が挙げられる。その他に、第１の柱構造物２１〜第５の柱構造物２５の折曲がり部分を可動式接合部材により構成する手段等が挙げられる。
【００４６】
上記では第１の柱構造物２１〜第５の柱構造物２５が、それぞれ、第１辺Ｓ１と第２辺Ｓ２とを有している構成について説明したが、必ずしも第１辺Ｓ１と第２辺Ｓ２とを有している必要はない。例えば、第１の柱構造物２１〜第５の柱構造物２５がそれぞれ屈曲していない直線状の柱構造物であっても良い。その場合、軽量化することができ、コストを低減することもできる。
【００４７】
第１の柱構造物２１〜第５の柱構造物２５の形状は、特に限定されず、例えば、四角柱、五角柱等の多角柱、円柱、これらを屈曲若しくは湾曲させた形状、またはこれらの組み合わせ形状が挙げられる。
【００４８】
第１の柱構造物２１〜第５の柱構造物２５の素材として、例えば、実施形態１の特殊五角形構造物１と同じく、プラスチック、樹脂、硝子、アルニコ磁石、フェライト磁石、ネオジム磁石等の永久磁石、酸化鉄、酸化クロム、コバルト、フェライト等の磁性体、アルミニウム、銅、ステンレス、鋼材等の金属等が挙げられる。
【００４９】
さらに、図２（ａ）に示す通り、特殊五角形構造物２は、第１頂点１１に配置されている第１塊状物３１と、第２頂点１２に配置されている第２塊状物３２と、第３頂点１３に配置されている第３塊状物３３と、第４頂点１４に配置されている第４塊状物３４と、第５頂点１５に配置されている第５塊状物３５と、を含んでいる。
【００５０】
第１塊状物３１〜第５塊状物３５は、それぞれ第１の柱構造物２１〜第５の柱構造物２５と接合する接合部材である。図２（ａ）では、第１塊状物３１〜第５塊状物３５によって、第１の柱構造物２１〜第５の柱構造物２５がそれぞれ連結されている。
【００５１】
第１塊状物３１〜第５塊状物３５の形状は、例えば球、立方体、正十二面体、楕円球等が挙げられる。第１塊状物３１〜第５塊状物３５は、第１の柱構造物２１〜第５の柱構造物２５と面接触できる部分が設けられていることが好ましい。面接触できる部分とは、例えば、平らになっている部分や、図２（ｃ）に示すような第１の柱構造物２１〜第５の柱構造物２５の端部が陥入できるように形成された凹部４０等が挙げられる。このように面接触した状態で接合すれば、接合部分が安定するため好ましい。
【００５２】
第１塊状物３１〜第５塊状物３５の素材として、例えば、第１の柱構造物２１〜第５の柱構造物２５と同じく、プラスチック、樹脂、硝子、アルニコ磁石、フェライト磁石、ネオジム磁石等の永久磁石、酸化鉄、酸化クロム、コバルト、フェライト等の磁性体、アルミニウム、銅、ステンレス、鋼材等の金属等が挙げられる。
【００５３】
複数の特殊五角形構造物２を立体的に組立てることにより、立体構造物を作製することができる。特殊五角形構造物２を組立て式の玩具に用いる場合、第１塊状物３１〜第５塊状物３５、または第１柱構造物２１〜第５柱構造物２５の少なくとも一群は、磁気を有していることが好ましい。例えば、第１の柱構造物２１〜第５の柱構造物２５と、第１塊状物３１〜第５塊状物３５のうちいずれか一方の素材が、磁気を有している永久磁石である場合、他方が、永久磁石、または磁性体であることが好ましい。これにより、第１塊状物３１〜第５塊状物３５と、第１柱構造物２１〜第５柱構造物２５を、磁力によって容易に接合または分解することができるため、玩具に好適に用いることができる。
【００５４】
また、複数の特殊五角形構造物２を接合する場合、隣接する特殊五角形構造物２どうしそれぞれ第１塊状物３１〜第５塊状物３５を共有するものとする。このように塊状物を共有することにより、隣接する特殊五角形構造物２どうし各頂点を共有することができるため、形成された立体構造物は重量バランスに優れたものになる。
【００５５】
＜実施形態３＞
図３（ａ）は、本発明の実施形態３に係る特殊五角形構造物３の正面図である。図３（ｂ）は、その側面図である。図３（ａ）、（ｂ）に示す通り、特殊五角形構造物３は、特殊五角形構造物１、２と同様に、単一平面Ｘ内に存在している第１頂点１１、第２頂点１２、第３頂点１３、および第４頂点１４と、平面Ｘ内には存在していない第５頂点１５を通っており、第５頂点１５の近傍が突出している。特殊五角形構造物３は、第６頂点１６と、第６柱構造物２６〜第１０柱構造物２１０を有している点で、特殊五角形構造物１、２と異なる。以下、図１（ａ）〜（ｃ）、図２（ａ）、（ｂ）と同じ構成部分については同一の符号を付し、特殊五角形構造物１、２と相違する点のみ説明する。
【００５６】
図３（ａ）に示す通り、特殊五角形構造物３は、第１頂点１１〜第５頂点１５よりも特殊五角形構造物３の内方にある第６頂点１６を有し、第６頂点１６と第１頂点１１と間にある第６柱構造物２６と、第６頂点１６と第２頂点１２と間にある第７柱構造物２７と、第６頂点１６と第３頂点１３と間にある第８柱構造物２８と、第６頂点１６と第４頂点１４と間にある第９柱構造物２９と、第６頂点１６と第５頂点１５と間にある第１０柱構造物２１０と、を含んでいる。また、図３（ｂ）に示す通り、第１頂点１１、第２頂点１２、第３頂点１３、および第４頂点１４と、第６頂点１６は、平面Ｘ内に存在している。
【００５７】
さらに、図３（ａ）に示す通り、特殊五角形構造物３は、第１頂点１１に配置されている第１塊状物３１と、第２頂点１２に配置されている第２塊状物３２と、第３頂点１３に配置されている第３塊状物３３と、第４頂点１４に配置されている第４塊状物３４と、第５頂点１５に配置されている第５塊状物３５と、第６頂点１６に配置されている第６塊状物３６と、を含んでいる。
【００５８】
図３（ａ）に示す通り、第６頂点１６と、第１頂点１１〜第５頂点１５との間にそれぞれ第６柱構造物２６〜第１０柱構造物２１０を含むことにより、特殊五角形構造物３をアスタリスク型等の美観に優れた形状にすることができる。
【００５９】
なお第６柱構造物２６〜第１０柱構造物２１０の形状と素材、第１塊状物３１〜第５塊状物３５の形状と素材は、実施形態２の特殊五角形構造物２と同じく、プラスチック、樹脂、硝子、アルニコ磁石、フェライト磁石、ネオジム磁石等の永久磁石、酸化鉄、酸化クロム、コバルト、フェライト等の磁性体、アルミニウム、銅、ステンレス、鋼材等の金属等が挙げられる。
【００６０】
以上、特殊五角形構造物１〜３のそれぞれの実施形態について説明したが、これらを組み合わせて１つの特殊五角形構造物とすることも可能である。例えば、実施形態１の特殊五角形構造物１の外縁に、実施形態２の特殊五角形構造物２の第１柱構造物２１〜第５柱構造物２５が配置され、各頂点に第１塊状物３１〜第５塊状物３５が配置されていても良い。また、実施形態１の特殊五角形構造物１の内部に、実施形態３の特殊五角形構造物３の第６頂点１６と第６柱構造物２６〜第１０柱構造物２１０とを含み、さらに各頂点に第１塊状物３１〜第６塊状物３６が配置されていても良い。また、実施形態３の特殊五角形構造物３の第１塊状物３１〜第５塊状物３５に、それぞれ実施形態２の特殊五角形構造物２の第１柱構造物２１〜第５柱構造物２５が接合されていても良い。
【００６１】
＜実施形態４＞
図４（ａ）は、本発明の特殊五角形構造物を複数含む実施形態４に係る板状の構造物４の正面図である。図４（ｂ）は、その斜視図である。図４（ｃ）は、その側面図である。なお図２（ａ）、（ｂ）と同じ構成部分については同一の符号を付して重複説明を避ける。また説明の便宜上、各図において、特殊五角形構造物の構成の一部を省略している。
【００６２】
図４（ａ）に示す通り、板状の構造物４は、前述した特殊五角形構造物２を少なくとも３つ（以下、当該３つの特殊五角形構造物をそれぞれ「第１特殊五角形構造物Ｎ１」〜「第３特殊五角形構造物Ｎ３」と記載する）有している。第１特殊五角形構造物Ｎ１〜第３特殊五角形構造物Ｎ３は１つの頂点Ａ３を共有している（以下、「３共有頂点Ａ３」と記載する）。さらに、第１特殊五角形構造物Ｎ１と第２特殊五角形構造物Ｎ２とは、３共有頂点の他に１つの頂点Ａ１２を共有しており、第２特殊五角形構造物Ｎ２と第３特殊五角形構造物Ｎ３とは、３共有頂点の他に１つの頂点Ａ２３を共有しており、第３特殊五角形構造物Ｎ３と第１特殊五角形構造物Ｎ１とは、３共有頂点の他に１つの頂点Ａ３１を共有している。
【００６３】
板状の構造物４は、特殊五角形構造物２に限らず、特殊五角形構造物１〜３のいずれか、またはそれらを含む構造物を有していても良い。
【００６４】
図４（ａ）、（ｂ）に示す通り、第１特殊五角形構造物Ｎ１〜第３特殊五角形構造物Ｎ３のうち第２特殊五角形構造物Ｎ２の第５頂点１５だけが３共有頂点Ａ３と一致している。第１特殊五角形構造物Ｎ２の第５頂点１５の近傍は突出しているため、図４（ｃ）に示す通り、３共有頂点Ａ３近傍の構造物４の形状は、凸形状または凹形状になっている。また、１つの第５頂点１５だけが３共有頂点Ａ３と一致していることにより、第１特殊五角形構造物Ｎ１〜第３特殊五角形構造物Ｎ３は、それぞれ隣接するものと頂点Ａ１２、頂点Ａ２３、頂点Ａ３１を共有し易くなっている。その結果、第１特殊五角形構造物Ｎ１〜第３特殊五角形構造物Ｎ３によって、第５頂点１５を囲むように凸部または凹部が形成されるため、板状の構造物４は、凹凸が求められる建築構造物や玩具等に有用なものとなる。そのために、第１特殊五角形構造物Ｎ１〜第３特殊五角形構造物Ｎ３のうちのいずれか一つだけが、第５頂点１５が３共有頂点Ａ３に一致していることが好ましい。
【００６５】
さらに、図４（ｃ）に示す通り、板状の構造物４において、全ての第１特殊五角形構造物Ｎ１〜第３特殊五角形構造物Ｎ３は、板状の構造物４の一方主面Ｐ１と該一方主面に対向する他方主面Ｐ２に接している。詳細には、全ての第１特殊五角形構造物Ｎ１〜第３特殊五角形構造物Ｎ３の３共有頂点Ａ３が、一方主面Ｐ１と他方主面Ｐ２に接している。これにより、厚さ方向に圧力がかかったときに圧力が斜め方向に分散されるため、強度や重量バランスを向上することができる。
【００６６】
また、図４（ａ）〜（ｃ）には図示していないが、第１特殊五角形構造物Ｎ１と第２特殊五角形構造物Ｎ２に囲まれている領域、第２特殊五角形構造物Ｎ２と第３特殊五角形構造物Ｎ３に囲まれている領域、第３特殊五角形構造物Ｎ３と第１特殊五角形構造物Ｎ１に囲まれている領域、には、必要に応じて、それぞれ、面構造物が配置されていていても良い。上記領域に面構造物を配置することにより、強度や美観を向上することができる。
【００６７】
面構造物の形状は、例えば、平面視で菱形等が挙げられる。また、面構造物の素材は、例えば、実施形態１の特殊五角形構造物１と同じく、プラスチック、樹脂、硝子、アルニコ磁石、フェライト磁石、ネオジム磁石等の永久磁石、酸化鉄、酸化クロム、コバルト、フェライト等の磁性体、アルミニウム、銅、ステンレス、鋼材等の金属等が挙げられる。
【００６８】
以上、板状の構造物４について図示して説明したが、参考のためにｘｙｚ座標空間における板状の構造物４の各頂点のｘｙｚ座標を表１に示す。表１中、Ｎｏ．１〜２０は、それぞれ第１頂点１１〜第５頂点１５のｘｙｚ座標を示す。また、Ｎｏ．２１〜７７は、第１柱構造物２１〜第５柱構造物２５がそれぞれ中央部で屈曲している点のｘｙｚ座標を示す。
【００６９】
【表１】
2018033754.tif 000003
【００７０】
＜実施形態５＞
図５（ａ）は、本発明の特殊五角形構造物を複数含む実施形態５に係る板状の構造物５の正面図である。図５（ｂ）は、その斜視図である。図５（ｃ）は、その側面図である。なお図４（ａ）〜（ｃ）と同じ構成部分については同一の符号を付して重複説明を避ける。また説明の便宜上、各図において、特殊五角形構造物の構成の一部を省略している。
【００７１】
図５（ａ）に示す通り、板状の構造物５は、前述した特殊五角形構造物２を少なくとも４つ（以下、当該４つの特殊五角形構造物をそれぞれ「第４特殊五角形構造物Ｎ４」〜「第７特殊五角形構造物Ｎ７」と記載する）を有している。第４特殊五角形構造物Ｎ４〜第７特殊五角形構造物Ｎ７は１つの頂点Ａ４を共有している（以下、「４共有頂点Ａ４」と記載する）。さらに、第４特殊五角形構造物Ｎ４と第５特殊五角形構造物Ｎ５とは、４共有頂点Ａ４の他に１つの頂点Ａ４５を共有しており、第５特殊五角形構造物Ｎ５と第６特殊五角形構造物Ｎ６とは、４共有頂点Ａ４の他に１つの頂点Ａ５６を共有しており、第６特殊五角形構造物Ｎ６と第７特殊五角形構造物Ｎ７とは、４共有頂点Ａ４の他に１つの頂点Ａ６７を共有しており、第７特殊五角形構造物Ｎ７と第４特殊五角形構造物Ｎ４とは、４共有頂点Ａ４の他に１つの頂点Ａ７４を共有している。また、頂点Ａ４５、頂点Ａ５６、頂点Ａ６７、頂点Ａ７４は、実施形態４の板状の構造物４の３共有頂点Ａ３と一致し、第５頂点１５と一致している。
【００７２】
板状の構造物５は、特殊五角形構造物１〜３のいずれか、またはそれらを含む構造物を有していても良い。
【００７３】
図５（ａ）に示す通り、第４特殊五角形構造物Ｎ４〜第７特殊五角形構造物Ｎ７のうちのいずれも、第５頂点１５は４共有頂点Ａ４には一致していない。すなわち、４共有頂点Ａ４には第５頂点１５が存在していないため、図５（ｃ）に示す通り、４共有頂点Ａ４近傍は、３共有頂点Ａ３近傍と比べて、平面に近い形状になっている。その結果、板状の構造物５は、凹凸のみならず平面状部分も求められる建築構造物や玩具等に有用なものとなる。そのために、第４特殊五角形構造物Ｎ４〜第７特殊五角形構造物Ｎ７のうちのいずれも、第５頂点１５は４共有頂点Ａ４には一致しないことが好ましい。
【００７４】
なお、各特殊五角形構造物において、第５頂点１５は３共有頂点Ａ３と一致しており、図示していないが、第１頂点１１、第４頂点１４は４共有頂点Ａ４と一致しており、第２頂点１２、第３頂点１３は３共有頂点Ａ３と一致している。
【００７５】
＜実施形態６＞
図６（ａ）は、本発明の実施形態６に係る筒状の構造物６の正面図である。図６（ｂ）、（ｃ）は、その斜視図である。図６（ｄ）は、その側面図である。なお図２（ａ）〜（ｃ）と同じ構成部分については同一の符号を付して重複説明を避ける。また説明の便宜上、各図において、特殊五角形構造物の構成の一部を省略している。
【００７６】
図６（ａ）に示す筒状の構造物６は、実施形態４に係る板状の構造物４または実施形態５に係る板状の構造物５を、３共有頂点Ａ３を結ぶ線、４共有頂点Ａ４を結ぶ線、および円筒の軸が平行になるように筒状に巻いて形成したものである。図６（ａ）に示す通り、筒状の構造物６内の第５頂点１５は、３共有頂点Ａ３と一致している。更に図示していないが、板状の構造物５と同じく、第１頂点１１、第４頂点１４は４共有頂点Ａ４と一致しており、第２頂点１２、第３頂点１３は３共有頂点Ａ３と一致している。このように板状の構造物４または板状の構造物５を変形させることにより筒状の構造物６を形成することができる。筒状の構造物６は、板状の構造物４、板状の構造物５に限らず、特殊五角形構造物１〜３のいずれか、またはそれらを含む構造物を有していても良い。なお、図６（ａ）〜（ｄ）では、隣接する特殊五角形構造物２どうし第１塊状物３１〜第５塊状物３５を共有している。
【００７７】
＜実施形態７＞
図７（ａ）は、本発明の実施形態７に係る殻状の構造物７の正面図である。図７（ｂ）は、その斜視図である。図７（ｃ）は、その側面図である。なお図２（ａ）〜（ｃ）と同じ構成部分については同一の符号を付して重複説明を避ける。また説明の便宜上、各図において、特殊五角形構造物の構成の一部を省略している。
【００７８】
図７（ａ）に示す通り、殻状の構造物７は、特殊五角形構造物２を複数有している。殻状の構造物７は、フラーレンＣ６０の構造を参考にして、フラーレンＣ６０の六角形を３つの五角形に分割し、その３つに分けた六角形の中心点に対応する部分に第５頂点１５が位置している。なお、フラーレンＣ６０の五角形に由来する平面（図７（ｃ）頂点部；５つの３共有頂点で作成される星形状）は、平面上に５つの点が配置されることになる。また、特殊五角形構造物２の第５頂点１５は、３共有頂点Ａ３と一致している。更に図示していないが、実施形態５に係る板状の構造物５と同じく、第１頂点１１、第４頂点１４は４共有頂点Ａ４と一致しており、第２頂点１２、第３頂点１３は３共有頂点Ａ３と一致している。このように特殊五角形構造物２を複数組み合わせることにより、殻状の構造物７を形成することができる。また、殻状の構造物７は、特殊五角形構造物２に限らず、特殊五角形構造物１〜３のいずれか、またはそれらを含む構造物を有していても良い。なお図７（ａ）〜（ｃ）では、隣接する特殊五角形構造物２どうし第１塊状物３１〜第５塊状物３５を共有している。
【００７９】
＜実施形態８＞
図８（ａ）は、本発明の実施形態８に係る多孔状の構造物８の正面図である。図８（ｂ）は、その斜視図である。図８（ｃ）は、その側面図である。なお図２（ａ）〜（ｃ）と同じ構成部分については同一の符号を付して重複説明を避ける。また説明の便宜上、各図において、特殊五角形構造物の構成の一部を省略している。
【００８０】
図８（ａ）に示す通り、多孔状の構造物８は、特殊五角形構造物２を複数有している。特殊五角形構造物２の第５頂点１５は３共有頂点Ａ３と一致している。更に図示していないが、実施形態５に係る板状の構造物５と同じく第１頂点１１、第４頂点１４は４共有頂点Ａ４と一致しており、第２頂点１２、第３頂点１３は２共有頂点Ａ２と一致している。このように特殊五角形構造物２を複数組み合わせることにより、多孔状の構造物８を形成することができる。また、多孔状の構造物８は、特殊五角形構造物２に限らず、特殊五角形構造物１〜３のいずれか、またはそれらを含む構造物を有していても良い。なお、図８（ａ）〜（ｃ）では、隣接する特殊五角形構造物２どうし第１塊状物３１〜第５塊状物３５を共有している。
【００８１】
＜その他の実施形態＞
以下では、前述した各実施の形態の特殊五角形構造物１〜３、または構造物４〜８を有している玩具の実施形態について説明する。また、下記以外の第１柱構造物２１〜第５柱構造物２５、および第１塊状物３１〜第５塊状物３５の構成については、実施形態２と同様である。
【００８２】
本発明の玩具は、特殊五角形構造物１〜３、または構造物４〜８を有しているものである。全ての特殊五角形構造物１〜３は、互いに分離可能に構成されていることが好ましい。分離可能に構成されていることにより、特殊五角形構造物１〜３の取り外しが可能となり、様々な形状に変形することができる。
【００８３】
一方、図４（ａ）に示すように、本発明の玩具は、特殊五角形構造物２が第１塊状物３１〜第５塊状物３５を有している場合、柱構造物と塊状物が互いに分離可能に構成されていても良い。詳細には、図２（ａ）に示すように、本発明の玩具は、第１頂点１１に配置されている第１塊状物３１と、第２頂点１２に配置されている第２塊状物３２と、第３頂点１３に配置されている第３塊状物３３と、第４頂点１４に配置されている第４塊状物３４と、第５頂点１５に配置されている第５塊状物３５と、一端が第１塊状物３１に対して分離可能に接合されており、他端が第２塊状物３２に対して分離可能に接合されている第１柱構造物２１と、一端が第２塊状物３２に対して分離可能に接合されており、他端が第３塊状物３３に対して分離可能に接合されている第２柱構造物２２と、一端が第３塊状物３３に対して分離可能に接合されており、他端が第４塊状物３４に対して分離可能に接合されている第３柱構造物２３と、一端が第４塊状物３４に対して分離可能に接合されており、他端が第５塊状物３５に対して分離可能に接合されている第４柱構造物４と、一端が第５塊状物３５に対して分離可能に接合されており、他端が第１塊状物３１に対して分離可能に接合されている第５柱構造物２５と、を有することが好ましい。このように、第１の柱構造物２１〜第５の柱構造物２５と第１塊状物３１〜第５塊状物３５が互いに分離可能に構成されていれば、様々な形状に変形することができるため、玩具として有用である。
【００８４】
また本発明の玩具は、図３（ａ）に示すように、第１頂点１１に配置されている第１塊状物３１と、第２頂点１２に配置されている第２塊状物３２と、第３頂点１３に配置されている第３塊状物３３と、第４頂点１４に配置されている第４塊状物３４と、第５頂点１５に配置されている第５塊状物３５と、一端が第１塊状物３１に対して分離可能に接合されている第６柱構造物２６と、一端が第２塊状物３２に対して分離可能に接合されている第７柱構造物２７と、一端が第３塊状物３３に対して分離可能に接合されている第８柱構造物２８と、一端が第４塊状物３４に対して分離可能に接合されている第９柱構造物２９と、一端が第５塊状物３５に対して分離可能に接合されている第１０柱構造物２１０と、を有する形態であっても良い。このように、分離可能に構成されていれば、様々な形状に変形することができるため、玩具として有用である。
【００８５】
本発明の玩具は、複数の特殊五角形構造物３を含む場合、第６柱構造物２６〜第１０柱構造物２１０の他端同士は、第６塊状物を介して間接的に接合されていても良い。また、第６柱構造物２６〜第１０柱構造物２１０の他端同士は、第６塊状物を介さずに互いに直接接合されていても良い。
【符号の説明】
【００８６】
１〜３                特殊五角形構造物
４〜８                構造物
Ｎ１〜Ｎ７            第１特殊五角形構造物〜第７特殊五角形構造物
１１〜１６            第１頂点〜第６頂点
２１〜２９            第１柱構造物〜第９柱構造物
２１０                第１０柱構造物
３１〜３６            第１塊状物〜第６塊状物
４０                  凹部
Ａ３、Ａ４            ３共有頂点、４共有頂点
Ｐ１、Ｐ２            一方主面、他方主面
Ｓ１、Ｓ２            第１辺、第２辺
Ｌ１〜Ｌ５            頂点の距離
Ｘ                    平面
【図１】
2018033754.tif 000004
【図２】
2018033754.tif 000005
【図３】
2018033754.tif 000006
【図４】
2018033754.tif 000007
【図５】
2018033754.tif 000008
【図６】
2018033754.tif 000009
【図７】
2018033754.tif 000010
【図８】
2018033754.tif 000011